(57)【特許請求の範囲】
【請求項１】
グリッド生成部がグリッドの複数の行を生成してモバイル機器のディスプレイユニット上に表示する段階と、
内容出力部が前記複数の行のそれぞれに配列される複数の格子のそれぞれの内部に前記複数の格子のそれぞれに対応する内容を表示する段階と、
グリッド移動部がスクロールバーの移動を検知して前記複数の行と前記複数の格子のそれぞれに表示された内容を共に移動させ、前記複数の行の移動によって前記ディスプレイユニット上から消えた行のうち少なくとも１つの行を前記ディスプレイユニット上に表示される前記複数の行のうち最終行の下部へ移動させる段階と、
内容変換部が前記複数の行のうち最終行の下部へ移動される行に配列される格子のそれぞれに表示された内容と変更する内容とが同一であるかを判断する段階と、
前記表示された内容と前記変更する内容とが同一である場合、前記内容変換部が該当格子の内容をそのまま維持させる段階と、
前記表示された内容と前記変更する内容とが同一でない場合、前記内容変換部が該当格子の内容を変更する段階と、
画面出力部が移動された行と移動された行に配列される格子に変更された内容を前記ディスプレイユニット上に表示する段階と、
を含むグリッドの出力制御方法。
【請求項２】
前記移動された行に配列される格子のそれぞれに表示された内容を変更した後、表示する段階は、
前記内容変換部が前記複数の行のうち最終行の下部へ移動される行に配列される格子の中で内容がそのまま維持される格子を除いた残りの格子の内容のみ変更する段階を更に含むことを特徴とする請求項１に記載のグリッドの出力制御方法。
【請求項３】
前記複数の格子のそれぞれに対応する内容は、テキスト、イメージ又はボタンのうちいずれか１つで形成されることを特徴とする請求項１又は２に記載のグリッドの出力制御方法。
【請求項４】
請求項１〜３の何れか一項に記載のグリッドの出力制御方法を行うためのプログラムを格納したコンピュータで読み取り可能な記録媒体。
【請求項５】
グリッドの複数の行を生成してモバイル機器のディスプレイユニット上に表示するグリッド生成部と、
前記複数の行のそれぞれに配列される複数の格子のそれぞれの内部に前記複数の格子のそれぞれに対応する内容を表示する内容出力部と、
スクロールバーの移動を検知して前記複数の行と前記複数の格子のそれぞれに表示された内容を共に移動させ、前記複数の行の移動によって前記ディスプレイユニット上から消えた行のうち少なくとも１つの行を前記ディスプレイユニット上に表示される前記複数の行のうち最終行の下部へ移動させるグリッド移動部と、
前記複数の行のうち最終行の下部へ移動される行に配列される格子のそれぞれに表示された内容と変更する内容とが同一であるかを判断し、前記表示された内容と前記変更する内容とが同一である場合には、該当格子の内容をそのまま維持させ、前記表示された内容と前記変更する内容とが同一でない場合には、該当格子の内容を変更する内容変換部と、
移動された行と移動された行に配列される格子に変更された内容を前記ディスプレイユニット上に表示する画面出力部と、
を含むモバイル機器のグリッド出力制御装置。
【請求項６】
前記内容変換部は、前記複数の行のうち最終行の下部へ移動される行に配列される格子の中で内容がそのまま維持される格子を除いた残りの格子の内容のみ変更することを特徴とする請求項５に記載のモバイル機器のグリッド出力制御装置。
【請求項７】
前記複数の格子のそれぞれに対応する内容は、テキスト、イメージ又はボタンのうちいずれか１つで形成されることを特徴とする請求項５又は６に記載のモバイル機器のグリッド出力制御装置。
【発明の詳細な説明】
【技術分野】
【０００１】
本発明は、モバイル機器のグリッド出力制御装置及びグリッドの出力制御方法に関する。
【背景技術】
【０００２】
ネットワークインフラの拡充とインターネットの普及、移動通信技術の発達により、現代人はいつでもどこでも通信サービスにアクセスできるようになった。特に、近年は通信サービスを利用できるスマートフォン等のようなモバイル機器の発達に伴い、ユーザはモバイル機器を用いていつでもどこでもインターネットに接続してウェブサーバを利用できるようになった。
【０００３】
インターネット上のウェブサーバには、多様な形態の情報が存在する。例えば、ウェブサーバには多様な情報が整列されたグリッド情報が存在し得る。モバイル機器は、ウェブサーバを構成する画面に関する情報と共にグリッド情報の伝達を受けてウェブサーバの画面及びグリッドを生成してディスプレイユニットを介して出力できる。
【０００４】
従来は、モバイル機器がウェブサーバから伝達を受けたグリッド情報を用いて行全体及び行全体のそれぞれに配列される格子のそれぞれに対応する内容をロードし、ロードした全体行のうちディスプレイユニットの画面の大きさに対応する所定数の行で形成されたグリッドをレンダリングしてディスプレイユニット上に表示した。このとき、行全体及び行全体のそれぞれに配列される格子のそれぞれに対応する内容をロードする時間は、モバイル機器の仕様が低いほど増加する。即ち、性能の低いモバイル機器は、行全体及び行全体のそれぞれに配列される格子のそれぞれに対応する内容をロードする時間が増加し、ディスプレイユニットにグリッドを表示する時間が増加する。従って、近年は性能の低いモバイル機器においてもディスプレイユニットを介してグリッドを迅速に生成できる技術が開発されている。
【発明の概要】
【発明が解決しようとする課題】
【０００５】
そこで、本発明は、上記問題に鑑みてなされたものであり、本発明の目的とするところは、グリッドがモバイル機器のディスプレイで表示される速度を向上させることが可能な、新規かつ改良されたモバイル機器のグリッド出力制御装置及びグリッドの出力制御方法を提供することにある。
【課題を解決するための手段】
【０００６】
上記課題を解決するために、本発明のある観点によれば、グリッド生成部がグリッドの複数の行を生成してモバイル機器のディスプレイユニット上に表示する段階と、内容出力部が前記複数の行のそれぞれに配列される複数の格子のそれぞれの内部に前記複数の格子のそれぞれに対応する内容を表示する段階と、グリッド移動部がスクロールバーの移動を検知して前記複数の行と前記複数の格子のそれぞれに表示された内容を共に移動させ、前記複数の行の移動によって前記ディスプレイユニット上から消えた行のうち少なくとも１つの行を前記ディスプレイユニット上に表示される前記複数の行のうち最終行の下部へ移動させる段階と、内容変換部が前記複数の行のうち最終行の下部へ移動された行に配列される格子のそれぞれに表示された内容を変更する段階と、画面出力部が移動された行と移動された行に配列される格子に変更された内容を前記ディスプレイユニット上に表示する段階とを含む、モバイル機器のグリッド出力制御方法が提供される。
【０００７】
また、前記移動された行に配列される格子のそれぞれに表示された内容を変更して表示する段階は、前記内容変換部が前記複数の行のうち最終行の下部へ移動される行に配列される格子のそれぞれに表示された内容と変更する内容とが同一であるかを判断する段階と、表示された内容と変更する内容とが同一である場合、前記内容変換部が該当格子の内容をそのまま維持させる段階とを含むことができる。
【０００８】
更に、前記移動された行に配列される格子のそれぞれに表示された内容を変更して表示する段階は、前記内容変換部が前記複数の行のうち最終行の下部へ移動される行に配列される格子の中で内容がそのまま維持される格子を除いた残りの格子の内容のみ変更する段階を更に含むことができる。
【０００９】
また、前記複数の格子のそれぞれに対応する内容は、テキスト、イメージ又はボタンのうちいずれか１つで形成され得る。
【００１０】
更に、グリッドの出力制御方法を行うためのプログラムは、コンピュータで読み取り可能な記録媒体に格納され得る。
【００１１】
また、上記課題を解決するために、本発明の別の観点によれば、グリッドの複数の行を生成してモバイル機器のディスプレイユニット上に表示するグリッド生成部と、前記複数の行のそれぞれに配列される複数の格子のそれぞれの内部に前記複数の格子のそれぞれに対応する内容を表示する内容出力部と、スクロールバーの移動を検知して前記複数の行と前記複数の格子のそれぞれに表示された内容を共に移動させ、前記複数の行の移動によって前記ディスプレイユニット上から消えた行のうち少なくとも１つの行を前記ディスプレイユニット上に表示される前記複数の行のうち最終行の下部へ移動させるグリッド移動部と、前記複数の行のうち最終行の下部へ移動された行に配列される格子のそれぞれに表示された内容を変更する内容変換部と、移動された行と移動された行に配列される格子に変更された内容を前記ディスプレイユニット上に表示する画面出力部とを含む、モバイル機器のグリッド出力制御装置が提供される。
【００１２】
また、前記内容変換部は、前記複数の行のうち最終行の下部へ移動される行に配列される格子のそれぞれに表示された内容と変更する内容とが同一であるかを判断し、表示された内容と変更する内容とが同一であれば、該当格子の内容をそのまま維持させることができる。
【００１３】
更に、前記内容変換部は、前記複数の行のうち最終行の下部へ移動される行に配列される格子の中で内容がそのまま維持される格子を除いた残りの格子の内容のみ変更できる。
【００１４】
また、前記複数の格子のそれぞれに対応する内容は、テキスト、イメージ又はボタンのうちいずれか１つで形成され得る。
【発明の効果】
【００１５】
以上説明したように本発明によれば、インターネット上のウェブサーバに存在するグリッドがモバイル機器で表示される速度を向上させることが可能である。
【図面の簡単な説明】
【００１６】
【図１】本発明の実施形態に係るモバイル機器のグリッド出力制御装置が設けられたモバイル機器を概略的に示す図である。
【図２】本発明の実施形態に係るモバイル機器のグリッド出力制御装置を概略的に示す図である。
【図３】本発明の実施形態に係るグリッドの出力制御方法の順序を示す図である。
【図４】ディスプレイユニット上にグリッドが表示される第１画面を概略的に示す図である。
【図５】ディスプレイユニット上にグリッドが表示される第２画面を概略的に示す図である。
【発明を実施するための形態】
【００１７】
本発明の目的及び効果、そしてそれらを達成するための技術的構成は、添付の図面と共に詳細に後述されている実施形態を参照すれば明確になる。本発明を説明するにおいて、公知の機能又は構成についての具体的な説明が本発明の要旨を不要に曖昧にするおそれがあると判断される場合には、その詳細な説明を省略する。そして後述する用語は、本発明での機能を考慮して定義された用語であって、これはユーザ、運用者の意図又は慣例などによって変わり得る。
【００１８】
しかし、本発明は以下で開示される実施形態に限定されるものではなく、互いに異なる多様な形態で実現し得る。但し、本実施形態は、本発明の開示が完全なようにし、本発明の属する技術分野における通常の知識を有する者に発明の範疇を完全に理解させるために提供されるものであり、本発明は、請求の範囲の範疇により定義されるだけである。従って、その定義は、本明細書全般に亘る内容に基づいて行われるべきである。
【００１９】
なお、本発明の目的は、以上で言及したものに制限されず、制限されていない他の目的は、下記の記載から本発明の属する技術分野における通常の知識を有する者に明確に理解され得る。
【００２０】
また、本発明の効果は、以上で言及したものに制限されず、言及していない他の効果は、下記の記載から本発明の属する技術分野における通常の知識を有する者に明確に理解され得る。
【００２１】
明細書全体において、ある部分がある構成要素を「含む」又は「備える」とするとき、これは特に反対の記載がない限り、他の構成要素を除外するものではなく、他の構成要素を更に含むことができることを意味する。また、明細書に記載された「…ユニット」、「…部」及び「…モジュール」などの用語は、少なくとも１つの機能や動作を処理する単位を意味し、これはハードウェアやソフトウェア又はハードウェア及びソフトウェアの結合により実現し得る。
【００２２】
一方、本発明の実施形態において、各構成要素、機能ブロック又は手段は、１つ又はそれ以上の下部構成要素で構成されてもよく、各構成要素が行う電気、電子、機械的機能は電子回路、集積回路、ＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）など公知の多様な素子又は機械的要素で実現してもよく、それぞれ個別に実現したり、２つ以上が１つに統合されて実現してもよい。
【００２３】
また、添付するブロック図の各ブロックとフローチャートの各段階の組み合わせは、コンピュータ・プログラム・インストラクションにより実行されることもできる。これらのコンピュータ・プログラム・インストラクションは、スマートフォンのようなモバイル機器のプロセッサに搭載され得るので、データ処理装置のプロセッサにより行われるそれらのインストラクションが以下で説明するブロック図の各ブロック又はフローチャートの各段階で説明された各機能を行う手段を生成するようになる。
【００２４】
また、各ブロック又は各段階は、特定された（各）論理的機能を行うための１つ以上の実行可能なインストラクションを含むモジュール、セグメント又はコードの一部を示すことができる。また、幾つかの代替実施形態では各ブロック又は各段階で言及された機能が順序から外れて発生することも可能であることに注目すべきである。例えば、連続して示されている２つのブロック又は段階は、実際に実質的に同時に行われてもよく、又はそのブロック又は段階が時には該当する機能によって逆順に行われてもよい。
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
以下では、本発明の実施形態に係るモバイル機器のグリッド出力制御装置及びこれを用いたグリッドの出力制御方法について添付の図面を参照して具体的に説明する。
【００２７】
更に詳細には、本発明の実施形態は、スクロールバーの移動時にモバイル機器に表示されるグリッドを形成する複数の行のうちディスプレイ上から消えた行の一部をモバイル機器に表示される最終行の下部へ移動させることで、モバイル機器のディスプレイでグリッドが表示される速度を向上させることができるモバイル機器のグリッド出力制御装置及びこれを用いたグリッドの出力制御方法に関する。
【００２８】
図１は、本発明の実施形態に係るモバイル機器のグリッド出力制御装置１００が設けられたモバイル機器１０を概略的に示す図である。図２は、本発明の実施形態に係るモバイル機器のグリッド出力制御装置１００を概略的に示す図である。
【００２９】
図１及び図２を参照すれば、モバイル機器１０は、ユーザがインターネットに接続されてウェブサーバで提供される多様な情報を閲覧できるようにすることができる。モバイル機器１０は、スマートフォン又はタブレットＰＣ（ＰＣ）等のような通信機能を備えた機器であり得る。モバイル機器１０は、モバイル機器１０の全般的な制御を行う制御ユニット１１、制御ユニット１１に電気的に連結され、ウェブサーバから転送されるグリッド情報を格納するメモリユニット１２、制御ユニット１１に電気的に連結され、ウェブサーバから所定の情報を送受信する送受信ユニット１３、制御ユニット１１に電気的に連結され、ウェブサーバから転送される情報及び後述するグリッド出力制御装置１００により生成されるグリッドが表示されるディスプレイユニット１４及び制御ユニット１１に電気的に連結され、所定の入力手段で形成されるインターフェースユニット１５を含んで構成されることができる。
【００３０】
モバイル機器のグリッド出力制御装置１００は、モバイル機器１０の制御ユニット１１に電気的に連結され得る。モバイル機器のグリッド出力制御装置１００は、制御ユニット１１からメモリユニット１２に格納された前記グリッド情報の伝達を受け、前記グリッド情報を用いてグリッドを生成してディスプレイユニット１４上に表示できる。また、モバイル機器のグリッド出力制御装置１００は、スクロールバーの動きに基づいてディスプレイユニット１４上に表示されるグリッドの複数の行を移動させることができる。
【００３１】
モバイル機器のグリッド出力制御装置１００は、グリッド生成部１１０、内容出力部１２０、グリッド移動部１３０、内容変換部１４０及び画面出力部１５０を含んで構成されることができる。
【００３２】
グリッド生成部１１０は、制御ユニット１１から伝達を受けた前記グリッド情報を用いてグリッドの複数の行を生成し、モバイル機器１０のディスプレイユニット１４上に複数の行を表示できる。
【００３３】
内容出力部１２０は、制御ユニット１１から伝達を受けた前記グリッド情報を用いてディスプレイユニット１４上に表示される複数の行のそれぞれに配列される複数の格子のそれぞれに対応する内容を複数の格子のそれぞれの内部に表示できる。
【００３４】
グリッド移動部１３０は、ディスプレイユニット１４上に表示されるグリッドの少なくとも一側に配置されるスクロールバーの移動を検知してグリッドの複数の行を一側方向へ移動させることができる。また、グリッド移動部１３０は、グリッドの複数の行が一側方向へ移動されてディスプレイユニット１４上から消えた行のうち少なくとも１つの行をディスプレイユニット１４上に表示される複数の行のうち最終行の下部へ移動させることができ、グリッドの複数の行を移動させる方法は、本発明の実施形態に係るグリッドの出力制御方法で詳細に説明する。
【００３５】
内容変換部１４０は、グリッド移動部１３０によりディスプレイユニット１４上に表示される複数の行のうち最終行の下部へ移動された行に配列される格子のそれぞれに対応する内容を変更できる。
【００３６】
画面出力部１５０は、グリッド移動部１３０及び内容変換部１４０により移動された行及び移動された行に配列される格子の内容をディスプレイユニット１４に表示できる。
【００３７】
以下では、本発明の実施形態に係るグリッドの出力制御方法の順序を示す図である図３を参照してモバイル機器１０のディスプレイユニット１４上にグリッドが出力される方法について具体的に説明する。
【００３８】
まず、グリッド生成部１１０がグリッドの複数の行を生成してモバイル機器１０のディスプレイユニット１４上に表示する（Ｓ１１０）。このとき、モバイル機器１０は、ウェブサーバからグリッド情報を受信してメモリ部１２に格納でき、グリッド生成部１１０は、モバイル機器１０の制御ユニット１１から前記グリッド情報の伝達を受け、前記グリッド情報を用いて前記グリッド情報に含まれている行全体及び行全体のそれぞれに配列される格子のそれぞれに対応する内容のうちディスプレイユニット１４の画面の大きさに対応する所定数の行のみ生成してディスプレイユニット上に表示できる。例えば、前記グリッド情報に含まれている行全体の数が１５であり、ディスプレイユニット１４画面上に表示されるグリッドの行の数が１０であれば、グリッド生成部１１０は、ディスプレイユニット１４の画面の大きさに対応して行全体のうち１行目から１０行目までのみ生成してディスプレイユニット１４上に表示できる（図４参照）。
【００３９】
次に、内容出力部１２０がグリッドの複数の行のそれぞれに配列される複数の格子のそれぞれの内部に前記複数の格子のそれぞれに対応する内容を表示する（Ｓ１２０）。このとき、複数の格子のそれぞれに対応する内容は、テキスト、イメージ又はボタンのうちいずれか１つで形成されることができ、前記例に限定されるものではない（図４参照）。
【００４０】
次に、グリッド移動部１３０がスクロールバーの移動を検知してディスプレイユニット１４上に表示されるグリッドの複数の行と複数の行に配列された複数の格子のそれぞれに表示された内容を共に移動させる（Ｓ１３０）。このとき、グリッド移動部１３０は、スクロールバーが動く程度を基にグリッドの複数の行と複数の行に配列された格子のそれぞれに表示された内容が移動される程度を決定できる。グリッド移動部１３０がディスプレイユニット１４上に表示されるグリッドの複数の行と複数の行に配列された格子のそれぞれに表示された内容を移動させることで、ディスプレイユニット１４上に表示されるグリッドの複数の行のうちの一部がディスプレイユニット１４上から消滅し得る。
【００４１】
例えば、グリッド移動部１３０がディスプレイユニット１４上に表示されるグリッドの複数の行を上方へ１行程度の高さに移動させると、ディスプレイユニット１４上に表示されるグリッドの行のうち１行目がディスプレイユニット１４上から消滅し得る（図５参照）。または、グリッド移動部１３０がディスプレイユニット１４上に表示されるグリッドを上方へ２行程度の高さに移動させると、ディスプレイユニット１４上に表示されるグリッドの行のうち１行目と２行目がディスプレイユニット１４上から消滅し得る。または、ディスプレイユニット１４上に表示されるグリッドの行のうち最初の行が固定された行であり、グリッド移動部１３０がディスプレイユニット１４上に表示されるグリッドを上方へ１行程度の高さに移動させると、ディスプレイユニット１４上に表示されるグリッドの行のうち２行目がディスプレイユニット１４上から消滅し得る。以下では説明の便宜上、グリッド移動部１３０がディスプレイユニット１４上に表示されるグリッドの行を移動させ、グリッドの行のうち１行が消えた場合を中心に説明する。
【００４２】
グリッド移動部１３０がディスプレイユニット１４上から消えた行のうち少なくとも１つの行をディスプレイユニット１４上に表示されるグリッドの複数の行のうち最終行の下部へ移動させる（Ｓ１４０）。例えば、グリッド移動部１３０によりディスプレイユニット１４上に表示されるグリッドの行が移動されて１行目が消滅すれば、グリッド移動部１３０は、ディスプレイユニット１４上から消えた１行目をディスプレイユニット１４に表示されるグリッドの１０行目の下部へ移動させて消えた１行目をグリッドの１１行目として使用できるようにすることができる（図５参照）。
【００４３】
即ち、グリッド移動部１３０は、ディスプレイユニット１４上から消えた行を廃棄するのではなく、ディスプレイユニット１４上に表示されるグリッドの最終行の下部へ移動させることで、スクロールの移動によってディスプレイユニット１４上に新しく表示される行を新たに生成する必要がなくなるので、グリッドの処理速度を向上させることができる。従って、本発明の実施形態に係るグリッドの出力制御方法は、モバイル機器１０のディスプレイユニット１４上にグリッドが表示される速度を向上させることができる。
【００４４】
次に、内容変換部１４０がグリッドの複数の行のうち最終行の下部へ移動された行に配列される格子のそれぞれに表示された内容を変更する（Ｓ１５０）。グリッドの１０行目の下部へ移動されたグリッドの１行目と１行目に配列される格子に対応する内容がそのまま移動したので、グリッドの１１行目の格子に対応する内容に変更する必要がある。例えば、グリッドの１０行目の下部へ移動された１行目に配列される格子のそれぞれにグリッドの１１行目に配列される格子のそれぞれに対応する内容に変更して表示できる。
【００４５】
このとき、内容変換部１４０は、グリッドの複数の行のうち最終行の下部へ移動される行に配列される格子のそれぞれに表示された内容と変更する内容とが同一であるかを判断できる。格子のそれぞれに表示された内容と変更する内容とが同一であれば、内容変換部１４０は、該当格子の内容をそのまま維持させることができる。一方、内容変換部１４０は、内容がそのまま維持される格子を除いた残りの格子の内容のみ変更できる。即ち、本発明の実施形態に係るグリッドの出力制御方法は、移動された行に配列される全ての格子の内容を変更するのではなく、同じ内容を除いた一部のみ変更することで、グリッドに内容を表示する速度を増加させることができる。
【００４６】
最後に、画面出力部１５０がグリッド移動部１３０及び内容変換部１４０により移動された行と移動された行に配列された格子のそれぞれにおいて維持又は変更された内容をディスプレイユニット１４上に表示する（Ｓ１６０、図５参照）。従って、ディスプレイユニット１４上には、スクロールバーの移動によってグリッドの新しい行が表示され得る。
【００４７】
本発明の実施形態に係るグリッドの出力制御方法は、従来のグリッド出力方法とは異なりディスプレイユニット１４上に表示されるグリッドの複数の行のみ生成して表示し、複数の行の移動により消えた行の一部を再使用することで、ディスプレイユニット１４にグリッドの行を表示するプロセスの作業効率を向上させることができる。
【００４８】
すなわち、本発明の実施形態に係るモバイル機器のグリッド出力制御装置及びこれを用いたグリッドの出力制御方法によれば、ディスプレイユニット上から消えた行を消滅させず、ディスプレイユニット上に表示される複数の行のうち最終行の下部へ移動させて再使用することで、仕様の低いモバイル機器においても複数の行で形成されるグリッドの出力がより円滑に処理され得るという効果を奏する。
【００４９】
前記で説明した本発明の実施形態に係るグリッドの出力制御方法は、コンピュータ又はスマートフォンで読み取れる記録媒体にコンピュータ又はスマートフォンが読み取れるコードとして実現することが可能である。コンピュータ又はスマートフォンが読み取れる記録媒体は、コンピュータシステム又はスマートフォンシステムによって読み取られるデータが格納されるあらゆる種類の記録装置を含むことができる。コンピュータ又はスマートフォンが読み取れる記録媒体の例としては、ＲＯＭ、ＲＡＭ、ＣＤ、ＤＶＤ、ブルーレイ、磁気テープ、フロッピーディスク（登録商標）、光データ格納装置、フラッシュメモリなどが挙げられる。また、コンピュータ又はスマートフォンが読み取れる記録媒体は、ネットワークで連結されたコンピュータシステムに分散され、分散方式によりコンピュータ又はスマートフォンが読み取れるコードが格納され実行され得る。
【００５０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５１】
１００    モバイル機器のグリッド出力制御装置
１１０    グリッド生成部
１２０    内容出力部
１３０    グリッド移動部
１４０    内容変換部
１５０    画面出力部
【図１】
0005989054.tif 000002
【図２】
0005989054.tif 000003
【図３】
0005989054.tif 000004
【図４】
0005989054.tif 000005
【図５】
0005989054.tif 000006